(57)【要約】【課題】  登録済みウエッブサイトを管理し、登録済みウエッブサイトにログインする際、登録アカウント・パスワードを記憶しておく必要のない管理方法を提供する。【解決手段】  ユーザーがインターネット接続機能を備えたホストシステムを利用してウエッブサイトにリンクする時の使用に適したものであって、ユーザーがウエッブサイトを新規記録に入れたいと確認した時、ユーザーのウエッブサイトの現在ページでの全ての動作を記録するとともに、記録ファイルを作成するステップと、記録ファイルを保存するステップとを含み、その後、ユーザーが全ての既に保存された記録ファイル中のうち１つを選択した時、ユーザーが選択した記録ファイルに依拠して、自動的にブラウザーを起動して対応ページにリンクするとともに、ユーザーの対応ページでの全ての動作を自動的に重複して実行するステップとを含む。【選択図】  図１
2006072953.tif 000002
【特許請求の範囲】
【請求項１】
ユーザーがインターネット接続機能を備えたホストシステムを利用してウエッブサイトにリンクする時の使用に適したものであって、
前記ユーザーが前記ウエッブサイトを新規記録に入れたいと確認した時、前記ユーザーの前記ウエッブサイトの現在ページでの全ての動作を記録するとともに、記録ファイルを作成するステップと、
前記記録ファイルを保存するステップと
を含む登録済みウエッブサイトの管理方法。
【請求項２】
上記管理方法が、さらに、上記記録ファイルを一覧表中に表示して、上記ユーザーの選択用に提供するものである請求項１記載の登録済みウエッブサイトの管理方法。
【請求項３】
上記ユーザーが上記記録ファイルを選択した時、前記記録ファイルに保存された内容に依拠して、前記ユーザーが選択した記録ファイルに記録されている前記ユーザーの対応ページでの全ての動作を自動的に重複して実行するものである請求項１または２記載の登録済みウエッブサイトの管理方法。
【請求項４】
上記ユーザーが上記ウエッブサイトを新規記録に入れると確認した後、前記ユーザーが上記ホストシステムの１ファンクションキーを使用可能にして、上記管理方法を起動し前記ユーザーが現在ページで行う全ての動作を記録するものである請求項１記載の登録済みウエッブサイトの管理方法。
【請求項５】
ユーザーがウエッブサイトにリンクした時、前記ユーザーが前記ウエッブサイトの現在ページで行う全ての動作を記録するとともに、対応する記録ファイルを作成するステップと、
前記ユーザーが全ての既に保存された記録ファイル中のうち１つを選択した時、前記ユーザーが選択した記録ファイルに依拠して、自動的にブラウザーを起動して対応ページにリンクするとともに、前記ユーザーの対応ページでの全ての動作を自動的に重複して実行するステップと
を含む登録済みウエッブサイトの管理方法。
【請求項６】
上記管理方法が、さらに、上記記録ファイルを一覧表中に表示して、上記ユーザーの選択用に提供するものである請求項５記載の登録済みウエッブサイトの管理方法。
【請求項７】
上記した記録ファイルを作成するステップが、さらに、
上記ウエッブサイトにリンクするステップと、
前記ユーザーが新規記録に入れたいと確認した時、前記ユーザーの前記ウエッブサイトの現在ページでの全ての動作を記録するとともに、記録ファイルを作成するステップと、
前記記録ファイルを保存するステップと
を含む請求項５記載の登録済みウエッブサイトの管理方法。
【請求項８】
上記した記録ファイルを作成するステップが、さらに、
上記ユーザーが新規記録を確認した時、前記ユーザーが上記ウエッブサイトの現在ページで行う全て動作を記録するステップと、
記録を終了する必要があるか否かを判断するステップと、
前記ユーザーが記録を終了した後、前記記録ファイルを作成するステップと、
前記ユーザーが前記記録ファイルに対してパスワードを設定する必要があるか否かを質問するステップと、
前記ユーザーが前記記録ファイルに対してパスワードを設定したい時、前記ユーザーが前記記録ファイルに対してパスワードを設定するよう要求するステップと
を含む請求項１，５，７いずれか１項記載の登録済みウエッブサイトの管理方法。
【請求項９】
上記ユーザーが選択した記録ファイルに記録された前記ユーザーが対応ページで行った全ての動作を自動的に重複して実行するステップが、さらに、
前記ユーザーが選択した記録ファイル内の関連資料を取り出すステップと、
ブラフザーを起動して、前記ユーザーが選択した記録ファイル内の関連資料に依拠して対応ページにリンクするステップと、
前記ユーザーが選択した記録ファイル内の関連資料に依拠して、前記ユーザーが対応ページで行ったが全ての動作を自動的に重複して実行するステップと
を含む請求項５記載の登録済みウエッブサイトの管理方法。
【請求項１０】
上記ユーザーが上記ウエッブサイトの現在ページで行った全て動作を記録ステップが、前記ユーザーが前記ウエッブサイトでアカウントおよびパスワードを登録する動作ならびに資料の記録を含むものである請求項１または５記載の登録済みウエッブサイトの管理方法。
【請求項１１】
上記記録ファイルがモバイル保存装置へ保存されるものである請求項１または５記載の登録済みウエッブサイトの管理方法。
【請求項１２】
上記携帯保存装置がモバイルディスクを含むものである請求項１１記載の登録済みウエッブサイトの管理方法。
【発明の詳細な説明】
【技術分野】
【０００１】
この発明は、登録済みウエッブサイトの管理方法に関し、特に、ユーザーがページ上で入力した資料および動作を監視測定して、ユーザーがログインしたページの関連資料を正確に収集する登録済みウエッブサイトの管理方法に関する。
【背景技術】
【０００２】
現在、多くのウエッブサイトがいずれも会員制メカニズムを設置している。つまり、ユーザーは、会員になって初めて、これらウエッブサイトの資源を使用することができる。このような会員制メカニズムは、ウエッブサイト設立者がユーザーの個人情報を収集してユーザーのニーズを了解するとともに、彼らの商品ならびにサービスを販売促進できるようにするためである。そして、あるサービスを獲得またはウエッブサイト・メーカーとの交易を達成するために、ほとんどのユーザーもまたこのようなメカニズムに同意しているとともに、登録あるいはこれらウエッブサイトの会員となっている。
【発明の開示】
【発明が解決しようとする課題】
【０００３】
ウエッブサイトの種類と数量とがますます多くなるにつれて、各個人が登録加入する会員ウエッブサイトの数量もまた直線的に増大している。これが１つの困惑を形成しており、登録したウエッブサイトのホームページアドレスが異なるだけでなく、各ウエッブサイトの要求する登録制限も多種多様であって、これによってもまたユーザーの各ウエッブサイトに登録したアカウントならびにパスワードが通常は同一のものとはならない。そして、絶対多数のユーザーが登録したウエッブサイトを完全には記録することができておらず、よく見かける状況は、比較的よくアクセスするウエッブサイトを除いて、その他の登録済みウエッブサイトは久しくログインしないでいると、登録したアカウントおよびパスワードを思い出すことは困難なものとなる。
【０００４】
そこで、この発明の目的は、ユーザーが登録済みのウエッブサイトを整理することを助けることのできる登録済みウエッブサイトの管理方法を提供することにある。また、この発明の別な目的は、ユーザーが登録アカウントおよびパスワードを記憶する必要のない状況において、登録済みのウエッブサイトにログインすることのできる登録済みウエッブサイトの管理方法を提供することにある。
【課題を解決するための手段】
【０００５】
上記課題を解決し、所望の目的を達成するために、この発明にかかる登録済みウエッブサイトの管理方法は、ユーザーがインターネット接続機能を備えたホストシステムを利用してウエッブサイトにリンクする時の使用に適したものであって、ユーザーがウエッブサイトを新規記録に入れたいと確認した時、ユーザーのウエッブサイトの現在ページでの全ての動作を記録するとともに、記録ファイルを作成するステップと、記録ファイルを保存するステップとを含むものから構成される。
【０００６】
この発明にかかる好適な実施形態において、さらに、記録ファイルを一覧表中に表示して、ユーザーの選択用に提供することを含むものである。
【０００７】
記録ファイルを作成するステップが、さらに、ユーザーが新規記録を確認した時、ユーザーが上記ウエッブサイトの現在ページで行う全て動作を記録するステップと、記録を終了する必要があるか否かを判断するステップと、ユーザーが記録を終了した後、記録ファイルを作成するステップと、ユーザーが記録ファイルに対してパスワードを設定する必要があるか否かを質問するステップと、ユーザーが記録ファイルに対してパスワードを設定したい時、ユーザーが記録ファイルに対してパスワードを設定するよう要求するステップとを含むものである。
【０００８】
この発明にかかる好適な実施形態において、ユーザーがウエッブサイトの現在ページで行ったが全て動作を記録ステップが、ユーザーがウエッブサイトでアカウントおよびパスワードを登録する動作ならびに資料の記録を含むものである。また、記録ファイルがモバイルディスクを含むモバイル保存装置へ保存されるものである。
【０００９】
別な観点から、この発明にかかる登録済みウエッブサイトの管理方法は、ユーザーがウエッブサイトにリンクした時、ユーザーがウエッブサイトの現在ページで行う全ての動作を記録するとともに、対応する記録ファイルを作成するステップと、ユーザーが全ての既に保存された記録ファイル中のうち１つを選択した時、ユーザーが選択した記録ファイルに依拠して、自動的にブラウザーを起動して対応ページにリンクするとともに、ユーザーの対応ページでの全ての動作を自動的に重複して実行するステップとを含むものである。
【００１０】
ユーザーが選択した記録ファイルに記録されたユーザーが対応ページで行った全ての動作を自動的に重複して実行するステップが、さらに、ユーザーが選択した記録ファイル内の関連資料を取り出すステップと、ブラフザーを起動して、ユーザーが選択した記録ファイル内の関連資料に依拠して対応ページにリンクするステップと、ユーザーが選択した記録ファイル内の関連資料に依拠して、前記ユーザーが対応ページで行ったが全ての動作を自動的に重複して実行するステップとを含むものである。
【００１１】
以上をまとめれば、ユーザーがこの発明を利用して登録したウエッブサイトを記録する時、この発明によりこのウエッブサイトに対応する記録ファイルを一覧表示するので、ユーザーは一目で登録済みウエッブサイトを確認でき、管理が簡単で効率の良いものとなる。また、この発明は、ユーザーがページ上に登録したアカウントおよびパスワードの動作ならびに資料を記録して記録ファイルに保存することができるから、ユーザーがこの記録ファイルを選択する時、対応するウエッブサイにリンクできるだけでなく、記録ファイル内に保存されているユーザーがこのページ上で行った全ての動作を自動的に重複して実行することができる。従って、ユーザーは、アカウントおよびパスワードを記憶するという面倒を解消することができる。
【発明の効果】
【００１２】
以上をまとめれば、この発明にかかる登録済みウエッブサイトの管理方法は、少なくとも下記する利点を備えている。
１．この発明を利用して記録したウエッブサイトは、一覧表方式でユーザーに表示されるため、ユーザーは、簡単に登録済みウエッブサイトを管理することができる。
２．ユーザーが記録ファイルを選択するだけで、この発明は、選択された記録ファイルの内容に依拠して、ユーザーが選択した記録ファイルに記録されたユーザーの対応ページで行った全ての動作を自動的に重複して実行する。従って、ユーザーは、アカウント、パスワードまたは、その他のウエッブサイトへログインするための資料を忘れたため、目的のウエッブサイトにログインできないという困惑を解消することができる。
３．ユーザーは、この発明が作成した記録ファイルをモバイル保存装置に保存することができるため、ユーザーは、任意のコンピューターシステム上でこの発明を実施することができ、利便性を増大させることができる。
４．この発明は、記録ファイルに対してパスワードを設定することができるので、記録ファイル内部に保存した資料の安全性を確保することができる。
【発明を実施するための最良の形態】
【００１３】
以下、この発明にかかる好適な実施形態を図面に基づいて説明する。
図１において、この発明な好適な実施形態にかかる登録済みウエッブサイトの管理方法のフローチャートを示すと、この発明は、インターネット接続機能を備えたホストシステム、例えば、パーソナル・コンピューター、パーソナル・デジタル・アシスタント（ＰＤＡ）…などで実施することができる。ユーザーがこのようなホストシステムを利用して、ステップＳ１０１で１つのウエッブサイトにリンクした時、ユーザーは、ステップＳ１０３でリンクしたウエッブサイトをこの発明の新規記録に入れるか否かを決定する。仮にユーザーがリンクしたウエッブサイトを新規記録に入れないと決定した時（すなわちステップＳ１０３に標示した「いいえ」を選択した時）、この発明のフローを終了する。しかし、ユーザーがこの発明によりリンクしたウエッブサイトを管理すると決定した時（つまりステップＳ１０３に標示した「はい」を選択した時）、ステップＳ１０５を行い、ユーザーがこのウエッブサイトの現在ページで行う全ての動作を記録するとともに、対応する記録ファイルを作成する。
【００１４】
この実施形態において、ユーザーがリンクしたウエッブサイト新規記録に入れると決定した後、ホストシステムの特殊キーを能動化して、この発明を起動することができる。パーソナル・コンピューターを例にあげると、ユーザーは、マウスの中央キーを押すことによって、この発明を起動し、ユーザーがこのウエッブサイトの現在ページで行う全ての動作を記録することができる。
【００１５】
また、この実施形態において、ステップＳ１０５の前記した内容に依拠して、つまりユーザーがこのウエッブサイトの現在ページで行う全ての動作を記録することは、ユーザーが文字入力欄に文字を入力する動作および情報を含むものである。例えば、ユーザーがアカウント入力欄にアカウントを入力するとともに、パスワード入力欄にパスワードを入力する時、この発明は、ユーザーがアカウントならびにパスワードを入力する動作を記録すると同時に、アカウントおよびパスワードの資料を記録することができる。
【００１６】
この発明のステップＳ１０５で記録ファイルを作成した後、ユーザーは、ステップＳ１０７で記録ファイルを保存することができる。この実施形態において、ユーザーが記録ファイルを例えばモバイルディスクを含むモバイル保存装置へ保存すれば、携帯に便利なものとなる。
【００１７】
図２において、この発明な好適な実施形態にかかる記録ファイル作成のフローチャートを示すと、ユーザーが図１のステップＳ１０３でリンクしたウエッブサイトを新規記録に入れることを確認した後、この発明は、ステップＳ２０１でユーザーがリンクしたウエッブサイトの現在ページで行う全ての動作を記録し始める。記録すると同時に、この発明は、ステップＳ２０３でユーザーが記録する動作を終了するか否かを判断することができる。もしもユーザーがこの発明の記録する動作をまだ終了したくなければ（つまりステップＳ２０３に標示した「いいえ」であれば）、ステップＳ２０３を繰り返す。そして、もしもユーザーがこの発明の記録する動作を終了すると決定すれば（すなわちステップＳ２０３に標示した「はい」であれば）、この発明は、ステップＳ２０５で記録ファイルを作成する。
【００１８】
好適な実施形態において、記録ファイルを作成した後、この発明は、ステップＳ２０７でユーザーが記録ファイルに対してパスワードを設定するか否かを質問する。ユーザーが記録ファイルに対してパスワードを設定したくなければ（すなわちステップＳ２０７に標示した「いいえ」であれば）、図１のステップＳ１０７を直接行って、記録ファイルを保存する。しかし、ユーザーが記録ファイルに対してパスワードを設定したければ（つまりステップＳ２０７に標示した「はい」であれば）、この発明は、ステップＳ１０９で例えばダイアローグ・ボックス形式によりユーザーが記録ファイルに対してパスワードを設定するよう要求する。そして、ユーザーがパスワードを設定した後、記録ファイルを保存することができる。
【００１９】
上記した実施形態において、この発明は、記録ファイルに対するパスワード設定方法として、ユーザーがパスワードを設定するように要求する方式で実現しているが、この発明を制限するためのものではない。この技術領域に習熟した者がいかなるパスワード設定方式を使用して記録ファイルに対してパスワードを設定したとしても、この発明の主要な技術思想に影響を及ぼすものではない。
【００２０】
この発明において、記録ファイルを作成した後、この発明は、この記録ファイルを一覧表に入れることができる。この一覧表は、この発明が作成した全ての記録ファイルを表示して、ユーザーの選択用に提供する。ユーザーが一覧表中から１記録ファイルを選択した時、この発明は、ユーザーが選択した記録ファイルに依拠して、自動的にブラウザーを起動させ対応するページにリンクするとともに、ユーザーが選択した記録ファイルに記録されたユーザーの対応ページで行った全ての動作を自動的に重複して実行する。
【００２１】
図３において、この発明な好適な実施形態にかかるユーザーが対応ページで行った全ての動作を自動的に重複して実行するフローチャートを示すと、ユーザーがステップＳ３０１で１つの保存されている記録ファイルを選択した後、この発明は、ステップＳ３０３で記録ファイル内の関連資料を取り出す。もしも記録ファイルが図２のステップＳ２０９で述べたように、ユーザーにより個人パスワードの形式でパスワードが設定されている時、ステップＳ３０３を行う前に、記録ファイルに対する解錠を行う必要があり、例えば、ユーザーが保存してあった記録ファイルを選択した時、１つのダイアローグ・ボックスが出現して、ユーザーにパスワードの入力を要求する。ユーザーが正確なパスワードを入力して初めて、この発明は、ステップＳ３０３を継続して行う。
【００２２】
この発明がステップＳ３０３を行った後、この発明は、ステップＳ３０５でユーザーが選択した記録ファイルに依拠して、ブラウザーを起動するとともに、対応ページへリンクし、ステップＳ３０７でユーザーが選択した記録ファイルの内容に依拠して、ユーザーが選択した記録ファイルに記録されたユーザーの対応ページで行った全ての動作を自動的に重複して実行する。例えば、この発明は、対応するページのアカウント入力欄にアカウントを自動的に入力するとともに、パスワード欄にパスワードを自動的に入力することができる。
【００２３】
前記した実施形態において、ユーザーが一覧表上の記録ファイルを選択することによって、対応するウエッブサイトに自動的にログインするが、この発明は、これに限定するものではない。別な実施形態においては、ドラッグ方式で選択した記録ファイルをログインページ画面上に置くこともでき、あるいはこのログインページでこの発明が設計した自動ログイン機能を実行すれば、この発明は、図３のステップを自動的に実行することができる。その他、この技術領域に習熟した者が実際の状況に基づいて自ら自動ログイン方法を設計できるのであって、異なるログイン方法がこの発明の主要な技術思想に影響を及ぼすものではない。
【００２４】
以上のごとく、この発明を好適な実施例により開示したが、もとより、この発明を限定するためのものではなく、当業者であれば容易に理解できるように、この発明の技術思想の範囲内において、適当な変更ならびに修正が当然なされうるものであるから、その特許権保護の範囲は、特許請求の範囲および、それと均等な領域を基準として定めなければならない。
【図面の簡単な説明】
【００２５】
【図１】この発明の好適な実施例にかかる登録済みウエッブサイトの管理方法を示すフローチャートである。
【図２】この発明の好適な実施例にかかる記録ファイルを作成するフローチャートである。
【図３】この発明の好適な実施例にかかるユーザーが対応ページで行った全ての動作を自動的に重複して実行するフローチャートである。
【符号の説明】
【００２６】
Ｓ１０１，Ｓ１０３，Ｓ１０５，Ｓ１０７  登録済みウエッブサイトの管理方法を示す各ステップのフロー
Ｓ２０１，Ｓ２０３，Ｓ２０５，Ｓ２０７，Ｓ２０９  記録ファイルを作成する各ステップのフロー
Ｓ３０１，Ｓ３０３，Ｓ３０５，Ｓ３０７  ユーザーが対応ページで行った全ての動作を自動的に重複して実行する各ステップのフロー
【図１】
2006072953.tif 000003
【図２】
2006072953.tif 000004
【図３】
2006072953.tif 000005